(57)【要約】【課題】本発明は、所望の位置に所望のレイアウトで太陽電池モジュールを敷設可能な太陽電池の敷設構造を提供する。【解決手段】太陽電池モジュールと、取付部材とを有し、取付部材は、太陽電池モジュールよりも所定の方向の長さが大きく、間隔を空けて配された複数の取付側嵌合部を有し、取付側嵌合部は、凸部又は凹部であり、太陽電池モジュールは、裏面側に、凹部又は凸部であって、かつ取付側嵌合部に対して嵌合可能なモジュール側嵌合部を有し、取付部材の取付側嵌合部の数は、太陽電池モジュールのモジュール側嵌合部の数よりも多く、太陽電池モジュールは、取付部材の一の位置において、モジュール側嵌合部を取付側嵌合部に嵌合することで、取付部材に対して取り付け可能であり、さらに、取付部材の一の位置とは異なる位置において、モジュール側嵌合部を取付側嵌合部に嵌合することで、取付部材に対して取り付け可能である構成とする。【選択図】図９
2020190147.tif 000002
【特許請求の範囲】
【請求項１】
太陽電池モジュールと、前記太陽電池モジュールを固定構造物に対して取り付ける取付部材とを有する太陽電池モジュールの敷設構造であって、
前記取付部材は、前記太陽電池モジュールよりも所定の方向の長さが大きく、間隔を空けて配された複数の取付側嵌合部を有し、
前記取付側嵌合部は、凸部又は凹部であり、
前記太陽電池モジュールは、裏面側にモジュール側嵌合部を有し、
前記モジュール側嵌合部は、凹部又は凸部であって、かつ前記取付側嵌合部に対して嵌合可能であり、
前記取付部材の前記取付側嵌合部の数は、前記太陽電池モジュールの前記モジュール側嵌合部の数よりも多く、
前記太陽電池モジュールは、前記取付部材の一の位置において、前記モジュール側嵌合部を前記取付側嵌合部に嵌合することで、前記取付部材に対して取り付け可能であり、
さらに、前記太陽電池モジュールは、前記取付部材の前記一の位置とは異なる位置において、前記モジュール側嵌合部を前記取付側嵌合部に嵌合することで、前記取付部材に対して取り付け可能である、太陽電池モジュールの敷設構造。
【請求項２】
前記太陽電池モジュールは、少なくとも３つのモジュール側嵌合部を有し、
前記３つのモジュール側嵌合部のうち一のモジュール側嵌合部は、隣接する他のモジュール側嵌合部のそれぞれとの距離が等しく、
前記３つのモジュール側嵌合部は、正多角形の頂点をなす位置に配されている、請求項１に記載の太陽電池モジュールの敷設構造。
【請求項３】
前記太陽電池モジュールは、複数のモジュール側嵌合部を有し、
前記複数のモジュール側嵌合部の中には、第１モジュール側嵌合部と第２モジュール側嵌合部があり、
一の取付側嵌合部は、前記第１モジュール側嵌合部と嵌合可能であって、かつ前記第２モジュール側嵌合部とも嵌合可能である、請求項１又は２に記載の太陽電池モジュールの敷設構造。
【請求項４】
前記モジュール側嵌合部は、前記複数の取付側嵌合部のいずれに対しても嵌合可能である、請求項１乃至３のいずれか１項に記載の太陽電池モジュールの敷設構造。
【請求項５】
複数の太陽電池モジュールを有し、
各太陽電池モジュールは、前記モジュール側嵌合部が前記取付側嵌合部と嵌合して共通の取付部材に対して取り付けられている、請求項１乃至４のいずれか１項に記載の太陽電池モジュールの敷設構造。
【請求項６】
大きさが異なる少なくとも２種類の太陽電池モジュールを有し、
前記２種類の太陽電池モジュールは、隣接して前記共通の取付部材に取り付けられている、請求項５に記載の太陽電池モジュールの敷設構造。
【請求項７】
受光面の色又は濃淡が異なる少なくとも２種類の太陽電池モジュールを有し、
前記２種類の太陽電池モジュールは、隣接して前記共通の取付部材に取り付けられている、請求項５に記載の太陽電池モジュールの敷設構造。
【請求項８】
大きさが異なる少なくとも２種類の太陽電池モジュールと、前記２種類の太陽電池モジュールを屋根下地に対して取り付ける取付部材とを有する屋根構造の製造方法であって、
前記取付部材は、複数の取付側嵌合部を有し、
前記２種類の太陽電池モジュールは、裏面側に前記取付側嵌合部に対して嵌合可能なモジュール側嵌合部をそれぞれ有し、
前記２種類の太陽電池モジュールには、第１太陽電池モジュールと、第１太陽電池モジュールよりも桁行方向の長さが短い第２太陽電池モジュールがあり、
前記第１太陽電池モジュールを桁行方向の一方の端部から前記取付部材に取り付ける第１太陽電池設置工程と、
前記第２太陽電池モジュールを前記取付部材に取り付ける第２太陽電池設置工程を含み、
前記取付部材は、前記第１太陽電池設置工程後において、前記複数の取付側嵌合部の中に、第１太陽電池モジュールのモジュール側嵌合部と嵌合せず、かつ、第１太陽電池モジュールから露出した露出側嵌合部が存在し、
前記第２太陽電池モジュールは、前記第２太陽電池モジュールのモジュール側嵌合部が前記第２太陽電池設置工程において前記露出側嵌合部と嵌合する、屋根構造の製造方法。
【発明の詳細な説明】
【技術分野】
【０００１】
本発明は、太陽電池モジュールの敷設構造及び屋根構造の製造方法に関する。
【背景技術】
【０００２】
従来から、太陽エネルギーを利用して発電を行う太陽電池モジュール等の太陽光利用装置を屋根上に固定した太陽光利用装置の固定構造が知られている（例えば、特許文献１）。
特許文献１に記載の固定構造は、屋根に対して等間隔に桟を並設し、並設方向に隣接する桟に跨って太陽電池モジュールを取り付けることで、太陽電池モジュールを屋根に対して取り付けている。
【先行技術文献】
【特許文献】
【０００３】
【特許文献１】特開２００４−８４３６９号公報
【発明の概要】
【発明が解決しようとする課題】
【０００４】
ところで、近年、屋根に設置された太陽電池モジュールの配置においても、デザイン性が求められており、太陽電池モジュールの施工前に太陽電池モジュールのレイアウトが検討され、検討されたレイアウトに従って太陽電池モジュールが設置されている。
しかしながら、実際に屋根に設置したときの印象と、設計時に想定した印象が異なる場合がある。このような場合、特許文献１に記載の固定構造では、決められた位置に決められた大きさの太陽電池モジュールのみしか設置することができないため、施工現場でレイアウトの変更ができないという問題があった。
【０００５】
また、特許文献１に記載の固定構造では、寄棟屋根等の屋根下地の形状が軒棟方向で変化する場合、実際に屋根に設置したときの印象と、設計時に想定した印象が異なると、本来設置できるはずの領域に太陽電池モジュールが設置できなくなったり、本来設置できない領域に太陽電池モジュールを設置できたりする場合がある。
そのため、施工現場において、非設置領域の大きさに応じて太陽電池モジュールの配置や大きさを変更し、限られた範囲内に太陽電池モジュールをより多く設置したいという市場からの要望があった。
【０００６】
そこで、本発明は、所望の位置に所望のレイアウトで太陽電池モジュールを敷設可能な太陽電池の敷設構造を提供することを目的とする。また、本発明は、従来に比べて、限られた範囲における太陽電池モジュールの総受光面積を多くできる屋根構造を提供することを目的とする。
【課題を解決するための手段】
【０００７】
上記した解決するための本発明の一つの様相は、太陽電池モジュールと、前記太陽電池モジュールを固定構造物に対して取り付ける取付部材とを有する太陽電池モジュールの敷設構造であって、前記取付部材は、前記太陽電池モジュールよりも所定の方向の長さが大きく、間隔を空けて配された複数の取付側嵌合部を有し、前記取付側嵌合部は、凸部又は凹部であり、前記太陽電池モジュールは、裏面側にモジュール側嵌合部を有し、前記モジュール側嵌合部は、凹部又は凸部であって、かつ前記取付側嵌合部に対して嵌合可能であり、前記取付部材の前記取付側嵌合部の数は、前記太陽電池モジュールの前記モジュール側嵌合部の数よりも多く、前記太陽電池モジュールは、前記取付部材の一の位置において、前記モジュール側嵌合部を前記取付側嵌合部に嵌合することで、前記取付部材に対して取り付け可能であり、さらに、前記太陽電池モジュールは、前記取付部材の前記一の位置とは異なる位置において、前記モジュール側嵌合部を前記取付側嵌合部に嵌合することで、前記取付部材に対して取り付け可能である、太陽電池モジュールの敷設構造である。
【０００８】
本様相によれば、複数の位置において太陽電池モジュールを取付部材に取り付けることが可能であるため、所望の位置に太陽電池モジュールを設置できる。そのため、施工現場にて自由にレイアウトの変更が可能である。
【０００９】
好ましい様相は、前記太陽電池モジュールは、少なくとも３つのモジュール側嵌合部を有し、前記３つのモジュール側嵌合部のうち一のモジュール側嵌合部は、隣接する他のモジュール側嵌合部のそれぞれとの距離が等しく、前記３つのモジュール側嵌合部は、正多角形の頂点をなす位置に配されていることである。
【００１０】
本様相によれば、隣接する３つのモジュール側嵌合部が正多角形の頂点をなすため、当該正多角形の頂点を通る円の周方向に位置を変更できる。
【００１１】
好ましい様相は、前記太陽電池モジュールは、複数のモジュール側嵌合部を有し、前記複数のモジュール側嵌合部の中には、第１モジュール側嵌合部と第２モジュール側嵌合部があり、一の取付側嵌合部は、前記第１モジュール側嵌合部と嵌合可能であって、かつ前記第２モジュール側嵌合部とも嵌合可能であることである。
【００１２】
本様相によれば、一の取付側嵌合部に対して第１モジュール側嵌合部及び第２モジュール側嵌合部の双方が嵌合可能である。そのため、一の取付側嵌合部に嵌合させるモジュール側嵌合部を変更することで、一の取付側嵌合部に対する太陽電池モジュールの相対位置を変更可能である。
【００１３】
好ましい様相は、前記モジュール側嵌合部は、前記複数の取付側嵌合部のいずれに対しても嵌合可能であることである。
【００１４】
本様相によれば、取付部材の所望の位置に太陽電池モジュールを設置できる。
【００１５】
好ましい様相は、複数の太陽電池モジュールを有し、各太陽電池モジュールは、前記モジュール側嵌合部が前記取付側嵌合部と嵌合して共通の取付部材に対して取り付けられていることである。
【００１６】
本様相によれば、複数の太陽電池モジュールが一つの取付部材に対して取り付けられているため、各太陽電池モジュールに対応した複数の取付部材を必要とせず、手間とコストを低減できる。
【００１７】
好ましい様相は、受光面の色又は濃淡が異なる少なくとも２種類の太陽電池モジュールを有し、前記２種類の太陽電池モジュールは、隣接して前記共通の取付部材に取り付けられていることである。
【００１８】
本様相によれば、２種類の太陽電池モジュールの受光面の色や受光面間の濃淡によって、所望の模様を形成できる。
【００１９】
本発明の一つの様相は、大きさが異なる少なくとも２種類の太陽電池モジュールと、前記２種類の太陽電池モジュールを屋根下地に対して取り付ける取付部材とを有する屋根構造の製造方法であって、前記取付部材は、複数の取付側嵌合部を有し、前記２種類の太陽電池モジュールは、裏面側に前記取付側嵌合部に対して嵌合可能なモジュール側嵌合部をそれぞれ有し、前記２種類の太陽電池モジュールには、第１太陽電池モジュールと、第１太陽電池モジュールよりも桁行方向の長さが短い第２太陽電池モジュールがあり、前記第１太陽電池モジュールを桁行方向の一方の端部から前記取付部材に取り付ける第１太陽電池設置工程と、前記第２太陽電池モジュールを前記取付部材に取り付ける第２太陽電池設置工程を含み、前記取付部材は、前記第１太陽電池設置工程後において、前記複数の取付側嵌合部の中に、第１太陽電池モジュールのモジュール側嵌合部と嵌合せず、かつ、第１太陽電池モジュールから露出した露出側嵌合部が存在し、前記第２太陽電池モジュールは、前記第２太陽電池モジュールのモジュール側嵌合部が前記第２太陽電池設置工程において前記露出側嵌合部と嵌合する、屋根構造の製造方法である。
【００２０】
本様相によれば、桁行方向の端から第１太陽電池モジュールを並べていき、第１太陽電池モジュールが敷設できない領域（非敷設領域）に第１太陽電池モジュールよりも桁行方向の長さが短い第２太陽電池モジュールを取り付けるため、従来に比べて太陽電池モジュールの総受光面積を多くできる。
また、本様相によれば、あらかじめ厳密に桁行方向の長さを設計せずとも現場で桁行方向の長さを調整できる。
【発明の効果】
【００２１】
本発明によれば、所望の位置に太陽電池モジュールを敷設可能である。
本発明によれば、従来に比べて太陽電池モジュールの総受光面積を大きくできる。
【図面の簡単な説明】
【００２２】
【図１】本発明の第１実施形態の屋根構造の斜視図である。
【図２】図１の太陽電池モジュールの敷設構造の分解斜視図である。
【図３】図２の第１太陽電池モジュールの説明図であり、（ａ）は受光面側から視た斜視図であり、（ｂ）は裏面側から視た斜視図である。
【図４】図２の第１太陽電池モジュールの断面斜視図である。
【図５】図２の第２太陽電池モジュールの説明図であり、（ａ）は受光面側から視た斜視図であり、（ｂ）は裏面側から視た斜視図である。
【図６】図２の取付部材の斜視図である。
【図７】図１の太陽電池モジュールの敷設構造の断面図であり、（ａ）は縦断面図であり、（ｂ）は横断面図である。
【図８】図１の太陽電池モジュールの製造方法の説明図であり、第１太陽電池モジュールを敷設した状態を示す平面図である。
【図９】図１の第１太陽電池モジュールの平面図であり、（ａ）は一の位置に敷設した状況を示し、（ｂ）は（ａ）とは異なる位置に敷設した状況を示す。
【図１０】本発明の他の実施形態の太陽電池モジュールの敷設構造の斜視図である。
【図１１】図１１の太陽電池モジュールの敷設構造の平面図であり、（ａ）は要部を表し、（ｂ）は（ａ）とは異なる要部を表す。
【図１２】本発明の他の実施形態の太陽電池モジュールの敷設構造の説明図であり、（ａ）は分解斜視図であり、（ｂ）は断面図である。
【図１３】本発明の他の実施形態の太陽電池モジュールの裏面側から視た斜視図であり、（ａ）は一実施形態を示し、（ｂ）は（ａ）とは異なる実施形態を示す。
【図１４】本発明の他の実施形態の太陽電池モジュールの敷設構造の分解斜視図である。
【発明を実施するための形態】
【００２３】
以下、本発明の実施形態について詳細に説明する。
【００２４】
本発明の第１実施形態の屋根構造１は、図１のように、建物等の固定構造物１００の屋根を構成する屋根下地１０１に対して敷設構造５が取り付けられたものである。
敷設構造５は、図２のように、一又は複数の取付部材３上に大きさが異なる複数種類の太陽電池モジュール２ａ，２ｂが敷設されたものであり、屋根下地１０１に取り付けられ、寄棟屋根の一面を構成するものである。
【００２５】
第１太陽電池モジュール２ａは、図３のように、太陽電池パネル１０と、固定部１１と、端子ボックス１２を備えている。
【００２６】
太陽電池パネル１０は、表面に受光面を有する板状パネルであり、正面視横長長方形状をしている。すなわち、太陽電池パネル１０は、四角形状であって、２つの縦辺と２つの横辺を備える。
【００２７】
太陽電池パネル１０は、光エネルギーを電気エネルギーに変換する複数の太陽電池セルを内蔵しており、これらの太陽電池セルが電気的に直列及び／又は並列接続されている。
太陽電池パネル１０は、図３（ｂ）のように、裏面に端子ボックス１２を備えている。
端子ボックス１２は、太陽電池セルに接続された内部配線を外部配線１６に接続する部材である。
外部配線１６は、他の太陽電池モジュール又は外部電源等の外部負荷に接続する配線である。
【００２８】
固定部１１は、図３（ａ）のように、太陽電池パネル１０の裏面を覆う部位であり、太陽電池パネル１０を取付部材３に取り付ける台座である。
固定部１１は、図３（ｂ）のように、本体部２０と、８つのモジュール側嵌合部２１と、ボックス収容部２２と、配線収容部２３ａ〜２３ｄを備えている。
本体部２０は、太陽電池パネル１０の裏面と同程度の面積を有する板状部位である。
モジュール側嵌合部２１は、本体部２０の裏面から太陽電池パネル１０に向かって窪んだ凹部であり、太陽電池パネル１０の受光面に対して交差する方向に延びた部位である。
【００２９】
モジュール側嵌合部２１は、図４のように、内側側面に係止部２５が設けられている。
係止部２５は、モジュール側嵌合部２１の内側側面から突出した係止片であり、モジュール側嵌合部２１の内側側面に沿って環状に延びている。
【００３０】
各モジュール側嵌合部２１は、図３（ｂ）のように、隣接するモジュール側嵌合部２１とともにそれぞれ正方形の頂点の位置に配されており、隣接するモジュール側嵌合部２１，２１間の距離は、いずれも等しい。すなわち、一のモジュール側嵌合部２１と、一のモジュール側嵌合部２１に隣接する他の隣接するモジュール側嵌合部２１のそれぞれとの距離はいずれも等しい。
【００３１】
ボックス収容部２２は、図３（ｂ）のように、端子ボックス１２を収容する部位であり、本体部２０の裏面から厚み方向に深さをもった凹部である。ボックス収容部２２は、平面視したときに、中央に設けられている。
【００３２】
配線収容部２３ａ〜２３ｄは、端子ボックス１２から延設された外部配線１６を収容可能な部位であり、本体部２０の裏面から厚み方向に深さをもった凹溝である。
配線収容部２３ａ〜２３ｄは、ボックス収容部２２から各辺に向かって延びた切り欠き溝であり、内部空間がボックス収容部２２の内部空間と連通している。
配線収容部２３ａ，２３ｃは、平面視したときに、ボックス収容部２２から横方向Ｘに延びており、配線収容部２３ｂ，２３ｄは、ボックス収容部２２から縦方向Ｙに延びている。
配線収容部２３ａ，２３ｃは、縦方向Ｙに隣接するモジュール側嵌合部２１，２１間を這っており、配線収容部２３ｂ，２３ｄは、横方向Ｘに隣接するモジュール側嵌合部２１，２１間を這っている。
【００３３】
第２太陽電池モジュール２ｂは、図５のように、太陽電池パネル３０と、固定部３１で構成されている。
【００３４】
太陽電池パネル３０は、図５（ａ）のように、表面に受光面を有する板状パネルであり、太陽電池パネル１０と大きさが異なり、その他は同様である。具体的には、太陽電池パネル３０は、受光面を平面視したときに正方形状をしており、横方向Ｘの長さが太陽電池パネル１０の半分の大きさとなっている。
【００３５】
固定部３１は、図５（ｂ）のように、太陽電池パネル３０の裏面を覆う部材であり、固定部１１と大きさが異なり、モジュール側嵌合部２１の数も異なる。
具体的には、固定部３１は、平面視正方形状であって、本体部２０と、４つのモジュール側嵌合部２１と、ボックス収容部２２と、配線収容部２３ａ〜２３ｄを備えている。
モジュール側嵌合部２１は、各角部に対応して設けられており、四隅付近にある。
【００３６】
各モジュール側嵌合部２１は、正方形の頂点の位置に配されており、横方向Ｘ及び縦方向Ｙに隣接するモジュール側嵌合部２１，２１間の距離は、いずれも等しい。
【００３７】
取付部材３は、太陽電池モジュール２ａ，２ｂを屋根下地１０１に取り付ける部材であり、図６のように、ベース部５０と、複数の取付側嵌合部５１を備えている。
ベース部５０は、屋根下地１０１上に載置される板状部位であり、釘やネジ等の締結要素によって屋根下地１０１に固定されるものである。
ベース部５０は、屋根下地１０１に対応する形状となっており、本実施形態では取付対象の屋根下地１０１と相似形状となっている。
ベース部５０は、防火の観点から、不燃性材料で形成されていることが好ましく、金属製であることがより好ましい。
こうすることで、仮に太陽電池パネル１０，３０が発火しても屋根下地１０１側への延焼を防止できる。
【００３８】
取付側嵌合部５１は、モジュール側嵌合部２１と対をなし、各モジュール側嵌合部２１と嵌合可能な部位である。
取付側嵌合部５１は、図６のように、ベース部５０に対して立設された凸部であり、本体部５２と、係止部５３を備えている。
本体部５２は、ベース部５０に対して直立した棒状部位であり、ベース部５０の広がり方向に対して直交する方向に突出している。
係止部５３は、モジュール側嵌合部２１の係止部２５と係合し、取付部材３からの太陽電池モジュール２ａ，２ｂの離反を防止する部位である。
係止部５３は、本体部５２の外側側面に設けられ、傘状に広がった部位である。すなわち、係止部５３は、本体部５２の外側側面から突出した係止片であり、本体部５２の外側側面に沿って周方向に環状に延びている。
取付側嵌合部５１の数は、モジュール側嵌合部２１の数よりも多く、横方向Ｘ及び縦方向Ｙに隣接する取付側嵌合部５１，５１間の距離は、いずれも等しい。
【００３９】
続いて、本発明の第１実施形態の屋根構造１の製造方法を説明するとともに、屋根構造１の各部材の位置関係についても説明する。
【００４０】
あらかじめ、大きさの異なる少なくとも２種類の太陽電池モジュール２ａ，２ｂを用意する。以下の説明では、上記した第１太陽電池モジュール２ａと第２太陽電池モジュール２ｂを使用した場合について説明する。
【００４１】
まず、取付部材３をボルトや鋲等の締結要素や接着剤等の接着部材などの固定手段によって屋根下地１０１に対して固定する（取付部材固定工程）。
【００４２】
このとき、本実施形態の取付部材３は、取付対象の屋根下地１０１の軒棟方向全体を覆っており、さらに桁行方向全体を覆っている。
【００４３】
続いて、図８のように、桁行方向の端部から第１太陽電池モジュール２ａを可能な限り並設していく（第１太陽電池設置工程）。すなわち、桁行方向の一方の端部側から取付側嵌合部５１に第１太陽電池モジュール２ａのモジュール側嵌合部２１を嵌合する。
【００４４】
このとき、各第１太陽電池モジュール２ａは、横方向Ｘが桁行方向を向き、平面充填になるように取付部材３に取り付けられている。
また、取付部材３は、図８のように、大部分の取付側嵌合部５１が第１太陽電池モジュール２ａのモジュール側嵌合部２１と嵌合している。言い換えると、取付部材３の取付側嵌合部５１の中には、いずれの第１太陽電池モジュール２ａのモジュール側嵌合部２１とも嵌合せず、第１太陽電池モジュール２ａから露出した取付側嵌合部５１Ａ（露出側嵌合部）が存在している。すなわち、取付部材３には、第１太陽電池モジュール２ａが敷設されていない非敷設領域があり、当該非敷設領域に取付側嵌合部５１Ａがある。
取付側嵌合部５１の係止部５３は、図７（ａ）のように、第１太陽電池モジュール２ａの固定部１１の係止部２５と厚み方向に係合している。
隣接する第１太陽電池モジュール２ａは、外部配線１６同士が接続され、電気的に接続されている。
第１太陽電池モジュール２ａの外部配線１６は、図７（ｂ）のように、固定部１１と取付部材３のベース部５０の間に位置し、配線収容部２３ａ，２３ｃを這っており、外部から保護されている。
【００４５】
続いて、第２太陽電池モジュール２ｂを第１太陽電池モジュール２ａから露出した取付側嵌合部５１Ａに取り付け、取付部材３の全面に太陽電池モジュール２ａ，２ｂを敷き詰める（第２太陽電池設置工程）。
【００４６】
このとき、取付側嵌合部５１の係止部５３は、第２太陽電池モジュール２ｂの固定部３１の係止部２５と厚み方向に係合している。
第２太陽電池モジュール２ｂの外部配線１６は、固定部３１と取付部材３のベース部５０の間に位置し、配線収容部２３ａ，２３ｃを這っており、外部から保護されている。
隣接する第１太陽電池モジュール２ａと第２太陽電池モジュール２ｂは、外部配線１６同士が接続され、電気的に接続されている。
【００４７】
第１実施形態の敷設構造５によれば、取付部材３は、ベース部５０上に同一形状の取付側嵌合部５１が並設されており、いずれの位置においても太陽電池モジュール２ａ，２ｂのモジュール側嵌合部２１が嵌合可能である。そのため、例えば、太陽電池モジュール２ａは、図９（ａ）のように、取付部材３の一の位置において、モジュール側嵌合部２１を取付側嵌合部５１に嵌合することで、取付部材３に対して取り付け可能であり、さらに、図９（ｂ）のように、取付部材３の一の位置とは異なる位置において、モジュール側嵌合部２１を取付側嵌合部５１に嵌合することで、取付部材３に対して取り付け可能である。それ故に、所望の位置に太陽電池モジュール２ａ（２ｂ）を設置できる。
【００４８】
第１実施形態の敷設構造５によれば、大きさの異なる２種類の太陽電池モジュール２ａ，２ｂを用いて平面充填となるように設置しており、第１太陽電池モジュール２ａが敷設できない部分たる非敷設領域に第１太陽電池モジュール２ａよりも小さい第２太陽電池モジュール２ｂを設置する。そのため、第１太陽電池モジュール２ａのみでは敷設できない非敷設領域にも敷設することができ、従来に比べて設置面積を広くできる。
【００４９】
第１実施形態の敷設構造５によれば、各モジュール側嵌合部２１が正多角形たる正方形の頂点をなす位置に配されているため、正多角形の各頂点を通る円の周方向に位置を変更できる。
【００５０】
第１実施形態の敷設構造５によれば、取付部材３の各取付側嵌合部５１が太陽電池モジュール２ａ，２ｂの各モジュール側嵌合部２１（第１モジュール側嵌合部，第２モジュール側嵌合部）と嵌合可能である。そのため、取付側嵌合部５１に対する太陽電池モジュール２ａ，２ｂの相対位置を変更可能である。
【００５１】
第１実施形態の敷設構造５によれば、モジュール側嵌合部２１は、複数の取付側嵌合部５１のいずれに対しても嵌合可能である。そのため、取付部材３の所望の位置に太陽電池モジュール２ａ，２ｂを設置できる。
【００５２】
第１実施形態の敷設構造５によれば、各太陽電池モジュール２ａ，２ｂは、モジュール側嵌合部２１が取付側嵌合部５１と嵌合して共通の取付部材３に対して取り付けられている。そのため、複数の取付部材３を必要とせず、手間とコストを低減できる。
【００５３】
第１実施形態の屋根構造１の製造方法によれば、桁行方向の端から第１太陽電池モジュール２ａを並べていき、第１太陽電池モジュール２ａが敷設できない領域に第２太陽電池モジュール２ｂを取り付ける。そのため、従来に比べて屋根下地１０１上に位置する太陽電池モジュール２ａ，２ｂの総受光面積を多くできる。
【００５４】
第１実施形態の太陽電池モジュール２ａ，２ｂによれば、配線収容部２３ａ〜２３ｄがボックス収容部２２からボックス収容部２２を中心として四方に延びているので、端子ボックス１２から延設された外部配線１６を所望の方向に延ばすことができる。そのため、隣接する太陽電池モジュール２ａ，２ａ（２ｂ，２ｂ、２ａ，２ｂ）間を配線接続しやすい。
【００５５】
続いて、本発明の第２実施形態の壁面構造２００について説明する。なお、上記した実施形態の屋根構造１と同様の構成については、同一の符号を付して説明を省略する。
【００５６】
第２実施形態の壁面構造２００は、図１０のように、固定構造物１００の壁面等を構成する壁面形成部２５０に敷設構造２０５が設けられるものである。
本実施形態の壁面形成部２５０は、水平面に対して立ち上がった立壁部である。
敷設構造２０５は、大きさが異なる太陽電池モジュール２ａ，２ｂに加えて、受光面の色が異なる太陽電池モジュール２ｃ，２ｄが取付部材２０３を介して敷設されるものであり、太陽電池モジュール２ａ〜２ｄによって所望の模様（文字も含む）を構成するものである。
【００５７】
第３太陽電池モジュール２ｃは、第１太陽電池モジュール２ａと受光面の色が異なること以外、同様である。
【００５８】
第４太陽電池モジュール２ｄは、第２太陽電池モジュール２ｂと受光面の色が異なること以外、同様である。
【００５９】
続いて、第２実施形態の壁面構造２００の各部材の位置関係について説明する。
【００６０】
敷設構造２０５は、図１０のように、壁面形成部２５０に対して取り付けられている。
敷設構造２０５は、受光面の色が異なる太陽電池モジュール２ａ，２ｂと太陽電池モジュール２ｃ，２ｄとが混在しており、太陽電池モジュール２ａ，２ｂと太陽電池モジュール２ｃ，２ｄとの間での受光面の色の差によって模様が形成されている。
具体的には、敷設構造２０５は、図１１（ａ）のように、太陽電池モジュール２ｃ，２ｄによって「Ｋ」の文字が形成されており、その他の部分には太陽電池モジュール２ａ，２ｂが配された領域があり、さらに図１１（ｂ）のように、太陽電池モジュール２ｃ，２ｄによって「Ｎ」の文字が形成されており、その他の部分には太陽電池モジュール２ａ，２ｂが配された領域がある。すなわち、敷設構造２０５は、部分的に太陽電池モジュール２ａ，２ｂと太陽電池モジュール２ｃ，２ｄとの間での受光面の色の差によって模様が強調されている。
【００６１】
第２実施形態の敷設構造２０５によれば、太陽電池モジュール２ａ〜２ｄを所望の位置に配置でき、太陽電池モジュール２ａ〜２ｄの受光面の色の違いによって模様が形成されるので、デザイン性が高い壁面を形成できる。
【００６２】
上記した第１実施形態では、形状が異なる２種類の太陽電池モジュール２ａ，２ｂが敷設されていたが、本発明はこれに限定されるものではない。形状が異なる３種類以上の太陽電池モジュールが敷設されていてもよい。
【００６３】
上記した第２実施形態では、色が異なる２種類の太陽電池モジュール２ａ〜２ｄが敷設されていたが、本発明はこれに限定されるものではない。色が異なる３種類以上の太陽電池モジュールが敷設されていてもよい。
【００６４】
上記した第２実施形態では、太陽電池モジュール２ａ，２ｃ（２ｂ，２ｄ）間で色が異なっていたが、本発明はこれに限定されるものではない。太陽電池モジュール間で濃淡が異なっていてもよい。この場合も上記と同様、濃淡が異なる３種類以上の太陽電池モジュールが敷設されていてもよい。
【００６５】
上記した実施形態では、モジュール側嵌合部２１を凹部で構成し、取付側嵌合部５１を凸部で構成していたが、本発明はこれに限定されるものではない。図１２のようにモジュール側嵌合部２１を凸部で構成し、取付側嵌合部５１を凹部で構成していてもよい。この場合、取付側嵌合部５１の内側側面に係止部２５が設けられ、モジュール側嵌合部２１の本体部５２の外側側面に係止部５３を設けることが好ましい。
【００６６】
上記した実施形態では、太陽電池モジュール２ａにおいて各モジュール側嵌合部２１が均等に設けられていたが、本発明はこれに限定されるものではない。図１３（ａ）のように、太陽電池モジュールの中央部分以外の部位、例えば、角部にモジュール側嵌合部２１が設けられていてもよい。
【００６７】
上記した実施形態では、一つのモジュール側嵌合部２１に対して一つの取付側嵌合部５１を嵌合させていたが、本発明はこれに限定されるものではない。一つのモジュール側嵌合部２１に対して複数の取付側嵌合部５１を嵌合させてもよい。例えば、図１３（ｂ）のように、縦方向Ｙに隣接するモジュール側嵌合部２１を長穴にし、モジュール側嵌合部２１に対して複数の取付側嵌合部５１を嵌合させてもよい。
【００６８】
上記した実施形態では、太陽電池モジュールの受光面同士の面を平葺き状に配置していたが、本発明はこれに限定されるものではない。図１４のように、太陽電池モジュール２ａ，２ｂを軒棟方向に重なりを持たせた重ね葺き状に配置してもよい。
【００６９】
上記した実施形態では、各モジュール側嵌合部２１が正方形の頂点をなすように各モジュール側嵌合部２１を配置していたが、本発明はこれに限定されるものではない。各モジュール側嵌合部２１を正三角形や正六角形等の正多角形の頂点をなすように各モジュール側嵌合部２１を配置してもよい。この場合、取付側嵌合部５１も各モジュール側嵌合部２１の位置に対応するように配置することとなる。
【００７０】
上記した第１実施形態では、取付対象となる屋根下地１０１全体を覆うように取付部材３を設けていたが、本発明はこれに限定されるものではない。取付対象となる屋根下地１０１の一部を覆うように取付部材３を設けていてもよい。
同様に、上記した第２実施形態では、取付対象となる壁面形成部２５０全体を覆うように取付部材２０３を設けていたが、本発明はこれに限定されるものではない。取付対象となる壁面形成部２５０の一部を覆うように取付部材２０３を設けていてもよい。
【００７１】
上記した第２実施形態では、水平面に対して立ち上がった立壁たる壁面形成部２５０に敷設構造２０５が取り付けられていたが、本発明はこれに限定されるものではない。天井や床面に敷設構造２０５を取り付けてもよい。
【００７２】
上記した実施形態は、本発明の技術的範囲に含まれる限り、各実施形態間で各構成部材を自由に置換や付加できる。
【符号の説明】
【００７３】
１  屋根構造
２ａ  第１太陽電池モジュール
２ｂ  第２太陽電池モジュール
２ｃ  第３太陽電池モジュール
２ｄ  第４太陽電池モジュール
３，２０３  取付部材
５，２０５  敷設構造
１０，３０  太陽電池パネル
２１  モジュール側嵌合部
５１  取付側嵌合部
５１Ａ  取付側嵌合部（露出側嵌合部）
１００  固定構造物
１０１  屋根下地
２００  壁面構造
２５０  壁面形成部
【図１】
2020190147.tif 000003
【図２】
2020190147.tif 000004
【図３】
2020190147.tif 000005
【図４】
2020190147.tif 000006
【図５】
2020190147.tif 000007
【図６】
2020190147.tif 000008
【図７】
2020190147.tif 000009
【図８】
2020190147.tif 000010
【図９】
2020190147.tif 000011
【図１０】
2020190147.tif 000012
【図１１】
2020190147.tif 000013
【図１２】
2020190147.tif 000014
【図１３】
2020190147.tif 000015
【図１４】
2020190147.tif 000016